(57)【要約】  【課題】層間変位時にガラスの破損を確実に防止し得るガラス支持構造であって、構造が単純であり、かつ施工を簡易化し得る構造とする。  【解決手段】無目を有さず、ガラスＧを方立２に固定した自重受け部材５Ａによって支持させるようにしたカーテンウォール構造１において、前記自重受け部材５Ａは、方立２のガラス嵌合溝部に固定されるベース材６と、このベース材６によって略水平位置から上方向にのみ回動自在に支持されるとともに、前記ガラスＧの下端隅部が載置される回動支持台７とからなる。【選択図】図４
2005264437.tif 000002
【特許請求の範囲】
【請求項１】
無目を有さず、ガラスを方立に固定した自重受け部材によって支持させるようにしたカーテンウォール構造において、
前記自重受け部材は、方立のガラス嵌合溝部に固定されるベース材と、このベース材によって略水平位置から上方向にのみ回動自在に支持されるとともに、前記ガラスの下端隅部が載置される回動支持台とからなることを特徴とするカーテンウォール構造におけるガラス支持構造。
【請求項２】
前記回動支持台はガラス面と平行に配向された軸によって回動自在に支持されている請求項１記載のカーテンウォール構造におけるガラス支持構造。
【請求項３】
前記ベース材の下部側外面部分に、ガラスの上方向移動をガイドする摺動面が形成されている請求項２記載のカーテンウォール構造におけるガラス支持構造。
【請求項４】
前記回動支持台は室内外方向に沿って配向された軸によって回動自在に支持されている請求項１記載のカーテンウォール構造におけるガラス支持構造。
【請求項５】
単一の回動軸によって左右それぞれの側の回動支持台が支持されている請求項４記載のカーテンウォール構造におけるガラス支持構造。
【請求項６】
前記ガラスの両側縁部はそれぞれ、方立の縦方向に沿って形成されたガラス嵌合溝内に嵌め込まれ、ガラス両側縁部の室外側及び室内側にそれぞれ設置された弾性パッキング及び／又はシールによって水密・気密が確保されるようになっている請求項１〜５いずれかに記載のカーテンウォール構造におけるガラス支持構造。
【発明の詳細な説明】
【技術分野】
【０００１】
本発明は、無目を有さず、ガラス自重を方立に固定した自重受け部材を介して支持させるようにしたカーテンウォール構造における前記ガラスの支持構造に関する。
【背景技術】
【０００２】
従来より、ビル等の壁面を成すカーテンウォール構造において、開放感を演出するため無目を有さず、ガラスを方立のみによって支持するようにした構造が存在する。
【０００３】
このカーテンウォール構造は、具体的には図１７に示されるように、左右両側に夫々ガラス嵌合溝Ｍ、Ｍを有する方立５０を用い、この方立５０を水平方向に所定間隔で躯体等に固定するとともに、前記方立５０の部材長手方向の所定位置にガラス受け部材５１、５１を固定し、このガラス受け部材５１，５１にガラスＧ、Ｇの端部を支承させることによってガラスを支持するものである。上下方向に隣接するガラス間の目地部にはシールが充填され、気水密が確保されるようになっている。
【０００４】
上記カーテンウォール構造の場合、上下に隣接するガラス間の目地幅は美観上、極力小さい方が望ましいのは当然であるが、地震時に層間変位により各ガラスが同一方向に回転したとすると、ガラスの上部側隅部が前記ガラス受け部材５１に突き当たって破損するおそれがあるため、目地幅はある程度大きくせざるを得なかった。また、前記層間変位はガラス幅寸法が大きくなると比例的に大きくなるため、目地シールが開放感を阻害したり、目地シールの施工が困難になるなどの問題があった。
【０００５】
このような問題に対処するため下記特許文献１では、ガラス受け部材５１を取付け位置から下方側へは移動不能としながら上方側へは移動可能としたガラス支持構造が提案されている。このガラス支持構造の場合には、図１８(A)の状態から層間変位を起こし、図１８(B)に示されるように、各ガラスが同一方向へ回転しガラスの上端隅部がガラス受け部材５１に衝突したとしても、ガラス受け部材５１が上方向に移動することによってガラスＧの破損が防止されることになる。
【特許文献１】特開２０００−４５４３７号公報
【発明の開示】
【発明が解決しようとする課題】
【０００６】
しかしながら、前記特許文献１のように、ガラス受け部材５１を方立に対して上方に移動可能とする場合には、方立に対する取付け構造が複雑になるとともに、方立にスライドガイド部を形成しなければならず、方立の断面形状も複雑になるなどの問題があった。
【０００７】
そこで本発明の主たる課題は、層間変位時にガラスの破損を確実に防止し得るガラス支持構造であって、構造が単純であり、かつ施工を簡易化し得るものとすることにある。
【課題を解決するための手段】
【０００８】
前記課題を解決するために請求項１に係る本発明として、無目を有さず、ガラスを方立に固定した自重受け部材によって支持させるようにしたカーテンウォール構造において、
前記自重受け部材は、方立のガラス嵌合溝部に固定されるベース材と、このベース材によって略水平位置から上方向にのみ回動自在に支持されるとともに、前記ガラスの下端隅部が載置される回動支持台とからなることを特徴とするカーテンウォール構造におけるガラス支持構造が提供される。
【０００９】
上記請求項１記載の本発明においては、ガラスの下端隅部を支承する受け台を上方向に回動自在に支持するようにした。従って、ガラスが層間変位を起こし、各ガラスが同一方向へ回転しガラスの上端隅部が前記回動支持台に衝突したとしても、回動支持台が上方向に回動することによってガラスの破損が防止されることになる。また、１箇所への取付けで済むとともに、方立に対する加工も少なくて済み、施工が簡略化できるようになる。
【００１０】
請求項２に係る本発明として、前記回動支持台はガラス面と平行に配向された軸によって回動自在に支持されている請求項１記載のカーテンウォール構造におけるガラス支持構造が提供される。
【００１１】
請求項３に係る本発明として、前記ベース材の下部側外面部分に、ガラスの上方向移動をガイドする摺動面が形成されている請求項２記載のカーテンウォール構造におけるガラス支持構造が提供される。
【００１２】
請求項４に係る本発明として、前記回動支持台は室内外方向に沿って配向された軸によって回動自在に支持されている請求項１記載のカーテンウォール構造におけるガラス支持構造が提供される。
【００１３】
請求項５に係る本発明として、単一の回動軸によって左右それぞれの側の回動支持台が支持されている請求項４記載のカーテンウォール構造におけるガラス支持構造が提供される。
【００１４】
請求項６に係る本発明として、前記ガラスの両側縁部はそれぞれ、方立の縦方向に沿って形成されたガラス嵌合溝内に嵌め込まれ、ガラス両側縁部の室外側及び室内側にそれぞれ設置された弾性パッキング及び／又はシールによって水密・気密が確保されるようになっている請求項１〜５いずれかに記載のカーテンウォール構造におけるガラス支持構造が提供される。
【発明の効果】
【００１５】
以上詳説のとおり本発明によれば、層間変位時にガラスの破損を確実に防止し得るガラス支持構造であって、構造が単純であり、かつ施工を簡易化できるようになる。
【発明を実施するための最良の形態】
【００１６】
以下、本発明の実施の形態について図面を参照しながら詳述する。
図１は本発明に係るカーテンウォール構造１の外観図、図２は図１のII−II線矢視図、図３は図１のIII−III線矢視図、図４はガラス支持部の要部斜視図である。
【００１７】
〔方立構造〕
本カーテンウォール構造１は、図１に示されるように、水平方向の無目を有さず、ガラスＧ、Ｇ…の自重を方立２，２…に固定した自重受け部材５Ａを介して支持させるようにしたものであり、上下方向に隣接するガラスＧ、Ｇ間の目地にはシール１０が充填され気・水密が確保されるようになっている。
図２及び図３に示されるように、方立２は隔壁２ａによって２室構造とされる断面略方形状の本体２Ａと、この本体２Ａの室外側面の両側部より側壁が室外側に延在することにより形成されたガラス保持片２ｂ、２ｃと、前記本体２Ａの室外側面の中央から室外側に延在する縦リブ２ｄと、この縦リブ２ｄに連続して形成された押縁フランジ２ｅとからなる部材であり、前記ガラス保持片２ｂ、２ｃと押縁フランジ２ｅとにより左右両側に夫々ガラス嵌合溝Ｍ、Ｍが形成されるようになっている。
前記ガラス嵌合溝Ｍ、Ｍ部には自重受け部材５Ａが方立２に固定され、ガラスの下端隅部が載置されることによって支持されるようになっている。以下、前記自重受け部材の２つの形態例（５Ａ、５Ｂ）について詳述する。
【００１８】
〔第１形態例に係る自重受け部材５Ａ〕
自重受け部材５Ａは、図５に示されるように、方立２のガラス嵌合溝部Ｍに固定されるベース材６と、このベース材６によって略水平位置から上方向にのみ回動自在に支持され、前記ガラスＧの下端隅部が載置される回動支持台７とからなる。
詳細には、前記ベース材６は、縦方向に長い基板６Ａの裏面側に、方立２に形成された開口へ嵌入される嵌入突起部６Ｂが形成されるとともに、前面側に顎部６Ｃが係止された部材で、前記基板６Ａの上下部にはそれぞれボルト通孔６ａ、６ｂが係止されているとともに、前記顎部６Ｃによって断面円形状の軸保持部６ｃが形成されている。一方、回動支持台７は支持台本体７ａの後端側に回動軸部７ｂを有する板状部材であり、前記ベース材６の軸保持部６ｃに回動軸部７ｂを挿入することにより組立てられる。組み立て状態では、前記支持台本体７ａの下面が顎部６Ｃの上面に支持されることにより水平位置に保持され、上方向にのみ回動自在となっている。また、図２に示されるように、前記支持台本体７ａの上面から基板６Ａの室外側面に至る面にはクロロプレンゴムなどのゴム材、又は樹脂などの緩衝材１１が貼設されている。
【００１９】
方立２に対する取付けは、図６(A)に示されるように、ガラス嵌合溝Ｍ内において、方立本体２Ａの室外側壁面に開口２ｆ、２ｆを夫々形成しておき、前記ベース材６の嵌入突起部６Ｂを前記開口２ｆに嵌入させながら設置し、基板６Ａのボルト通孔６ａ、６ｂから締結ボルト８、８を挿通し、方立本体２Ａの内部に配置されるネジ受け部材９に締結することにより取り付けられる。
【００２０】
〔ガラスＧの取付け〕
ガラスＧの取付けは、図３に示される縦通しの室内側パッキン１２と、室外側パッキン１３を嵌入することによりガラスＧを支持するとともに、図示例では室内側において前記室内側パッキン１２の外部にシール１４を施工するようにガラスＧが支持されるようになっている。
【００２１】
〔層間変位時の挙動〕
以上のように、略水平位置から上方向にのみ回動自在に支持された回動支持台７によってガラスＧ、Ｇが支持されたカーテンウォール構造１としたため、図７に示されるように、各ガラスＧ、Ｇが同一回転方向に回転する層間変位を起こした場合には、図８に示すように、ガラスＧの上端隅部が回動支持台７の下面に衝突しても、前記回動支持台７は上方向に回動可能となっているため、ガラスＧが破損する事態を回避できるようになる。
なお、ガラスＧの目地１０の幅寸法は方立材とガラスの温度ムーブメントの差によりシール幅設計されるが、ガラス厚と同等寸法、具体的には１５〜２０mm程度とするのが望ましい。
【００２２】
〔第２形態例に係る自重受け部材５Ｂ〕
次に、第２形態例に係る自重受け部材５Ｂについて詳述する。
図９はカーテンウォール構造１の外観図、図１０は図９のＸ−Ｘ線矢視図、図１１は図９のXI−XI線矢視図、図１２はガラス支持部の要部斜視図である。
【００２３】
自重受け部材５Ｂは、図１３に示されるように、ベース材となる一対の軸受け部材１５、１５と、これら軸受け部材１５、１５によって回動支持される蝶番状の回動支持台１６とからなる部材である。
【００２４】
詳細には、前記軸受け部材１５は、水平板部１５ａの下面側に、前記縦リブ２ｄの厚み分だけの間隔を空けて対峙する垂下片１５ｂ、１５ｂを有するとともに、上面側に、後述する支軸１７の直径分の間隔を空けて対峙する起立片１５ｃ、１５ｃとを備える部材であり、一方、回動支持台１６は、支軸１７に対して羽根板状の支持台本体１８Ａ、１８Ｂを回動自在に設けた部材であり、前記支軸１７を軸受け部材１５の起立片１５ｃ、１５ｃの間に嵌合させることによって組立てられる。組み立て状態では、前記支持台本体１８Ａ、１８Ｂの下面が水平板部１５ａの上面に支持されることにより水平位置に保持され、上方向にのみ回動自在となっている。また、図１０に示されるように、前記支持台本体１８Ａ、１８Ｂの上面にはゴム、樹脂などの緩衝材１９が貼設されている。
【００２５】
方立２に対する取付けは、図１４(A)に示されるように、縦リブ２ｄに矩形状の開口２ｇを形成しておき、図１４(B)に示されるように、軸受け部材１５の垂下片１５ｂ、１５ｂ間に方立２の縦リブ２ｄを挿入するようにして取付けたならば、垂下片１５ｂ…、縦リブ２ｄを共に貫通するボルト２０、２０により堅固に固定される。
【００２６】
軸受け部材１５、１５の取付けを終えたならば、前記回動支持台１６の支軸１７を軸受け部材１５の起立片１５ｃ、１５ｃの間に嵌合させることによって組み付け、前記支軸１７の抜止めのためにボルト２１、２１を起立片１５ｃ，１５ｃを貫通させて設けるようにする。
本第２形態例に係る自重受け部材５Ｂは、室内外方向に沿って配向された回動軸によって回動支持台１８Ａ、１８Ｂが支持されている構造であるため、ガラス載置幅を広く確保できるようになるとともに、２枚のガラスを載置しても、第１形態例に係る自重受け部材５Ａよりも作用力（曲げモーメント）を小さくできるため、複層ガラスタイプに対して好適となる。
【００２７】
図１５に示されるように、各ガラスＧ、Ｇが同一回転方向に回転する層間変位を起こした場合には、図１６に示されるように、ガラスＧの上端隅部が回動支持台１６の下面に衝突しても、前記回動支持台１８Ｂ（１８Ａ）は上方向に回動可能となっているため、ガラスＧが破損する事態を回避できるようになる。
【００２８】
〔その他の形態例〕
(1)上記第２形態例に係る自重受け部材５Ｂの場合には、単一の回動軸（支軸１７）によって左右それぞれの側の回動支持台１８Ａ、１８Ｂが回動自在に支持されている構造としたが、左右それぞれの側の回動支持台１８Ａ、１８Ｂを別々の回動軸によって支持する構造としてもよい。
(2)上記形態例では、壁面がガラスによって構成されるカーテンウォール構造であるが、金属パネル、樹脂パネル等を含むパネル一般に対して適用が可能である。
【図面の簡単な説明】
【００２９】
【図１】第１形態例に係るカーテンウォール構造１の外観図である。
【図２】図１のII−II線矢視図である。
【図３】図１のIII−III線矢視図である。
【図４】ガラス支持部の要部斜視図である。
【図５】自重受け部材５Ａの分解図である。
【図６】自重受け部材５Ａの取付け要領を示す図である。
【図７】ガラス層間変位時の挙動図である。
【図８】自重受け部材５Ａの挙動図である。
【図９】第２形態例に係るカーテンウォール構造１の外観図である。
【図１０】図９のＸ−Ｘ線矢視図である。
【図１１】図９のXI−XI線矢視図である。
【図１２】ガラス支持部の要部斜視図である。
【図１３】自重受け部材５Ｂの分解図である。
【図１４】自重受け部材５Ｂの取付け要領を示す図である。
【図１５】ガラス層間変位時の挙動図である。
【図１６】自重受け部材５Ｂの挙動図である。
【図１７】従来の無目を有しないガラス支持構造を示す方立横断面図である。
【図１８】特許文献１に示されるガラス支持構造の層間変位時のガラス挙動を示す図である。
【符号の説明】
【００３０】
１…カーテンウォール構造、２…方立、５Ａ・５Ｂ…自重受け部材、６…ベース材、７…回動支持台、１１・１９…緩衝材、１０…シール（水平目地）、１２…室内側パッキング、１３…室外側パッキング、１５…軸受け部材（ベース材）、１６…回動支持台、１７…支軸、１８Ａ・１８Ｂ…支持台本体、Ｍ…ガラス嵌合溝、Ｇ…ガラス
【図１】
2005264437.tif 000003
【図２】
2005264437.tif 000004
【図３】
2005264437.tif 000005
【図４】
2005264437.tif 000006
【図５】
2005264437.tif 000007
【図６】
2005264437.tif 000008
【図７】
2005264437.tif 000009
【図８】
2005264437.tif 000010
【図９】
2005264437.tif 000011
【図１０】
2005264437.tif 000012
【図１１】
2005264437.tif 000013
【図１２】
2005264437.tif 000014
【図１３】
2005264437.tif 000015
【図１４】
2005264437.tif 000016
【図１５】
2005264437.tif 000017
【図１６】
2005264437.tif 000018
【図１７】
2005264437.tif 000019
【図１８】
2005264437.tif 000020